(57)【要約】【課題】内パイプをネジ止め支持する際に内パイプにつく傷を防止することが可能な伸縮パイプの長さ調節具およびこれを用いたハンガーラックを提供する。【解決手段】雄ネジ５３を締め付けて行くことにより、緩衝部材５２は、その外周側から雄ネジ５３に押圧され間隙部５２１を減少させるとともにその径を小さくするように作用し、これにより、内パイプ４は緩衝部材５２により外周面を円環状に支持され長さ調節される。【選択図】図４
2013048651.tif 000002
【特許請求の範囲】
【請求項１】
外筒パイプと、外筒パイプ内にスライド可能に挿入された内パイプと、からなる伸縮パイプにおいて、外筒パイプの一端側に取り付けられるとともに内パイプをネジ止めすることにより伸縮パイプの長さ調節が可能な伸縮パイプの長さ調節具であって、
筒状に形成されるとともに、ネジ孔と該ネジ孔を含むように内周面に円環状に形成された円環溝とを有する本体と、
ネジ孔に螺合される雄ネジと、
ゴム材あるいは合成樹脂からなり円環溝に円環状に取り付けられる緩衝部材と、を有し、
緩衝部材は、
円環溝の底部を付勢した状態で円環溝に取り付けられるとともに、円環溝に取り付けられた状態では一部に間隙部を有する略Ｃ状部材であり、
緩衝部材は、雄ネジを締め付けて行くことにより、その外周側から雄ネジに押圧され間隙部を減少させるとともにその径を小さくするように作用し、これにより、内パイプが緩衝部材を介して外周面を円環状に支持された状態でネジ止めされ伸縮パイプの長さ調節がされること
を特徴とする伸縮パイプの長さ調節具。
【請求項２】
緩衝部材は円環溝に取り付けられた状態で本体内周面より中心方向に突出していることを特徴とする請求項１に記載の伸縮パイプの長さ調節具。
【請求項３】
請求項１あるいは２に記載の伸縮パイプの長さ調節具を有することを特徴とする伸縮パイプ。
【請求項４】
外筒パイプ及び内パイプはともに金属製であることを特徴とする請求項３に記載の伸縮パイプ。
【請求項５】
請求項３あるいは４に記載の伸縮パイプからなる対向配置された２つの支柱と、
２つの支柱の一端側に横架され、衣服などが吊り下げられたハンガーを吊り下げるためのハンガー掛けパイプと、
２つの支柱の他端側に横架された横幅パイプと、
を有することを特徴とするハンガーラック。
【請求項６】
ハンガー掛けパイプと横幅パイプが請求項３あるいは４に記載の伸縮パイプからなることを特徴とする請求項５に記載のハンガーラック。
【発明の詳細な説明】
【技術分野】
【０００１】
本発明は、伸縮パイプの長さ調節具、これを用いた伸縮パイプおよびこれを用いた衣服などを吊るすためのハンガーラックに関する。
【背景技術】
【０００２】
従来から、衣服を吊るしたハンガーを掛けるためのハンガー掛けなるものがある（特許文献１の明細書の段落番号０００２欄参照）。この従来のハンガー掛けは、ベースの両端に立設した２本のパイプ製の支柱を有し、それらの支柱の上端間に１本のパイプ製の横杆を渡しかけて結合した構成を有する。
【０００３】
また四角形状に組み立てたベースの４隅にそれぞれ立設した４本の支柱の上端に、２本の横杆を平行に配設した平行バータイプのハンガー掛けも知られている。
【０００４】
さらに高さの異なる２本の支柱の上端間に、１本のバーを斜めに渡しかけるとともに、前記バーの上面をノコ歯状に形成したハンガー掛けも提案されている（家庭用品新聞、１９９３年９月１日号、株式会社家庭用品新聞社編集発行）。それらのハンガー掛けは、保管や運搬に便利なように、通常は組み立て式になっている。また、組み立て時は設置スペースに合わせて高さや横幅を調節できるように、支柱や横杆を２重のパイプにより伸縮可能に構成し、両パイプのスライドをロックする手段を備えている（以下このようなパイプを「伸縮パイプ」という）。
【０００５】
この上述した高さ調節や横幅調節可能な従来のハンガー掛け（以下「従来ハンガー掛け」という）における、長さ調節が面倒及び比較的広いスペースが必要という問題点を改良すべく発明されたものが特許文献１に記載のハンガー掛けである。確かに当該ハンガー掛けは従来ハンガー掛けの上記問題点を解決するものであったが、見栄えや使い勝手の点において、従来ハンガー掛けは現在なお家庭内及びデパートなどの店舗において広く使用されている。
【０００６】
この従来ハンガー掛けにおける伸縮パイプは、筒状のパイプ（以下「外筒パイプ」という）の中に他のパイプ（以下「内パイプ」という）がスライド可能に挿入され、外筒パイプに取り付けられたネジを締め付けることにより、内パイプがこのネジにより支持されるという構造である。
【０００７】
このような伸縮パイプをハンガー掛けに採用すれば、高さ調節や横幅調節が可能となり使い勝手がよくなるが、その一方、内パイプをネジにより支持する際にネジの先端により内パイプに傷がつき見栄えが悪くなってしまうという問題が生じる。
【０００８】
このようなネジによる傷を解消すべく予め内パイプにネジ孔を設けておき、このネジ孔にネジを挿入して高さ調節あるいは横幅調節するというものもある（特許文献２参照）。
【０００９】
しかしながら、このように予め内パイプにネジ孔を設けておくと、このネジ孔自体が見栄えがよくないうえに、ネジ孔が設けられた位置でしか高さ調節あるいは横幅調節ができないといった問題も生ずる。
【００１０】
また、内パイプをスライドする際に、内パイプ表面に傷（以下この傷を「スライド傷」と言う）がつくという問題も生じる。
【先行技術文献】
【特許文献】
【００１１】
【特許文献１】特開平７−１１６０５１号公報
【００１２】
【特許文献２】特開２０００−１６６７２５号公報
【発明の開示】
【発明が解決しようとする課題】
【００１３】
本発明は前記問題点を解決するためになされたもので、１つの目的は、内パイプをネジ止め支持する際に内パイプにつく傷を防止することができる伸縮パイプの長さ調節具、これを用いた伸縮パイプおよびこれを用いたハンガーラックを提供することである。また、他の目的は、内パイプを外筒パイプ内でスライドして長さ調節する際に、内パイプ表面にスライド傷がつくのを防止することが可能な伸縮パイプの長さ調節具、これを用いた伸縮パイプおよびこれを用いたハンガーラックを提供することにある。
【課題を解決するための手段】
【００１４】
前記目的を達成するため、本発明は、外筒パイプと、外筒パイプ内にスライド可能に挿入された内パイプと、からなる伸縮パイプにおいて、外筒パイプの一端側に取り付けられるとともに内パイプをネジ止めすることにより伸縮パイプの長さ調節が可能な伸縮パイプの長さ調節具であって、筒状に形成されるとともに、ネジ孔と該ネジ孔を含むように内周面に円環状に形成された円環溝とを有する本体と、ネジ孔に螺合される雄ネジと、ゴム材あるいは合成樹脂からなり円環溝に円環状に取り付けられる緩衝部材と、を有し、緩衝部材は、円環溝の底部を付勢した状態で円環溝に取り付けられるとともに、円環溝に取り付けられた状態では一部に間隙部を有する略Ｃ状部材であり、緩衝部材は、雄ネジを締め付けて行くことにより、その外周側から雄ネジに押圧され間隙部を減少させるとともにその径を小さくするように作用し、これにより、内パイプが緩衝部材を介して外周面を円環状に支持された状態でネジ止めされ伸縮パイプの長さ調節がされることを特徴とする。
【００１５】
緩衝部材は円環溝に取り付けられた状態で本体内周面より中心方向に突出していてもよい。
【００１６】
また、本発明は、伸縮パイプであって、上記いずれかの伸縮パイプの長さ調節具を有することを特徴とする。
【００１７】
また、本発明の伸縮パイプにおいては、外筒パイプ及び内パイプはともに金属製であってもよい。
【００１８】
また、本発明は、ハンガーラックであって、上記いずれかの伸縮パイプからなる対向配置された２つの支柱と、２つの支柱の一端側に横架され、衣服などが吊り下げられたハンガーを吊り下げるためのハンガー掛けパイプと、２つの支柱の他端側に横架された横幅パイプと、を有することを特徴とする。
【００１９】
また、本発明のハンガーラックにおいては、ハンガー掛けパイプと横幅パイプが上記いずれかの伸縮パイプから構成されていてもよい。
【発明の効果】
【００２０】
本発明においては、外筒パイプと、外筒パイプ内にスライド可能に挿入された内パイプと、からなる伸縮パイプにおいて、外筒パイプの一端側に取り付けられるとともに内パイプをネジ止めすることにより伸縮パイプの長さ調節が可能な伸縮パイプの長さ調節具であって、筒状に形成されるとともに、ネジ孔と該ネジ孔を含むように内周面に円環状に形成された円環溝とを有する本体と、ネジ孔に螺合される雄ネジと、ゴム材あるいは合成樹脂からなり円環溝に円環状に取り付けられる緩衝部材と、を有し、緩衝部材は、円環溝の底部を付勢した状態で円環溝に取り付けられるとともに、円環溝に取り付けられた状態では一部に間隙部を有する略Ｃ状部材であり、緩衝部材は、雄ネジを締め付けて行くことにより、その外周側から雄ネジに押圧され間隙部を減少させるとともにその径を小さくするように作用し、これにより、内パイプが緩衝部材を介して外周面を円環状に支持された状態でネジ止めされ伸縮パイプの長さ調節がされるように構成した。これにより、内パイプをネジ止め支持する際に内パイプにつく傷を防止することが可能となる。
【００２１】
また、本発明においては、さらに、緩衝部材は円環溝に取り付けられた状態で本体内周面より中心方向に突出するように構成することにより、内パイプをスライドする際に、本体内周面と内パイプとが擦り合うのを防止することができ、内パイプ表面のスライド傷を防止することができる。
【図面の簡単な説明】
【００２２】
【図１】本発明に係るハンガーラックの部分斜視図である。
【図２】伸縮パイプの長さ調節具の構造を説明するための図であり、（ａ）は上面図、（ｂ）は（ａ）のＡ−Ａ矢視部分断面図である。
【図３】伸縮パイプの長さ調節具の構造を説明するための斜視断面図である。
【図４】本発明に係るハンガーラックの高さ調節の構造を説明するための図であり、（ａ）は内パイプを移動可能にした状態の伸縮パイプの長さ調節具の上面図、（ｂ）は（ａ）のＢ−Ｂ矢視部分断面図、（ｃ）は内パイプをネジ止め支持した際の伸縮パイプの長さ調節具の上面図、（ｄ）は（ｃ）のＣ−Ｃ矢視部分断面図である。
【発明を実施するための最良の形態】
【００２３】
以下、本発明を実施するための最良の形態について、添付した図面を参照しながら詳細に説明する。なお、以下の実施形態においては、本発明の伸縮パイプの長さ調節具あるいはこれを用いた伸縮パイプを高さ調節可能な支柱に採用したハンガーラックについて説明するが、本発明は以下に記載された実施形態に限定されるものではない。
【００２４】
図１は、本発明に係るハンガーラックの部分斜視図であり、伸縮パイプの長さ調節具（以下、本実施形態においては単に「長さ調節具」と言う）を拡大図Ｆとして示している。図２は、長さ調節具の構造を説明するための図であり、（ａ）は上面図、（ｂ）は（ａ）のＡ−Ａ矢視部分断面図であり、ともに雄ネジをネジ孔に螺合する前の状態を示している。図３は、長さ調節具の構造を説明するための部分斜視図であり、緩衝部材をどのようにして長さ調節具の円環溝に取り付けるかを説明するために、緩衝部材を長さ調節具へ取り付ける前の全体斜視図として示し、長さ調節具は円環溝の構造を明記すべく斜視断面図として示している。図４は、本発明に係るハンガーラックの高さ調節の構造を説明するための図であり、（ａ）は内パイプを移動可能にした状態の長さ調節具の上面図、（ｂ）は（ａ）のＢ−Ｂ矢視部分断面図、（ｃ）は内パイプをネジ止め支持した際の長さ調節具の上面図、（ｄ）は（ｃ）のＣ−Ｃ矢視部分断面図である。図４（ａ）及び（ｃ）においては、図面が複雑になるので内パイプを省略して図示し、一方、（ｂ）及び（ｄ）においては、内パイプがどのようにして長さ調節具及び外筒パイプ内で支持されるかを明記するために内パイプも簡略化して図示している。以下、この図１ないし４を参照しながら、本発明を衣服などを吊り下げたハンガーを掛けるためのハンガー掛けであるハンガーラックに適用した場合の一実施形態について詳細に説明する。
【００２５】
図１に示すように、２つの対向配置された支柱２、２と、この２つの支柱２，２の一端側に横架され、衣服などが吊り下げられたハンガーを吊り下げるためのハンガー掛けパイプ６と、２つの支柱２，２のもう一端側であって２つの支柱２，２間に横架された横パイプ７とからなる。各支柱２，２には、両端付近にキャスター９，９が取り付けられたキャスターパイプ８が各々直交して連接されている。
【００２６】
本実施形態における各パイプは、ユニクロームメッキ処理がなされたスチール製のパイプであり、各パイプは溶接により接合されている。ただし、材質などはこれに限定されるものではない。
【００２７】
支柱２は、外筒パイプ３と、外筒パイプ３内にスライド可能に挿入された内パイプ４と、からなる伸縮パイプからなり、外筒パイプ３の一端側には内パイプ４をネジ止めすることにより支柱２の長さ調節が可能な長さ調節具５が取り付けられている。
【００２８】
長さ調節具５は、円筒状に形成されるとともに、ネジ孔５１１とネジ孔５１１を含むように内周面に円環状に形成された円環溝５１２とを有する本体５１と、ネジ孔５１１に螺合される雄ネジ５３と、ゴム材あるいは合成樹脂からなり円環溝５１２に円環状に取り付けられる緩衝部材５２と、を有する。
【００２９】
また、本体５１の一端側には（図３中下側）、外筒パイプ３を嵌合させるための嵌合部５１３が設けられ、外筒パイプ３は嵌合部５１３に嵌合され、ろう付け、溶接等により本体５１と接合される。
【００３０】
緩衝部材５２は、円環溝５１２の底部を付勢した状態で円環溝５１２に取り付けられるとともに、円環溝５１２に取り付けられた状態では一部に間隙部５２１を有する略Ｃ状部材である。すなわち、緩衝部材５２は、円環溝５１２に取り付けられた状態では連続した円環部材ではなく、一部に不連続の間隙部５２１を有する部材である。
【００３１】
本実施形態においては、緩衝部材５２は、図３に示すように、本体５１の内径よりも大きい径を有するＣ状部材としているが、これに限定されるものではない。上述したとおり、緩衝部材５２は、円環溝５１２の底部を付勢するとともに一部に間隙部５２１を有するように円環溝５１２に取り付けられればよいので、例えば、平板状のシリコンゴムを円環溝５１２に丸めて取り付けるようにしてもよい。
【００３２】
上述したとおり、円環溝５１２はネジ孔５１１を含むように設けられている、すなわち、ネジ孔５１１は円環溝５１２の底部にその開口部分を有するように本体５１の外周面から内周面にかけて貫通する孔である。よって、ネジ孔５１１に螺合された雄ネジ５３を締め付けて行くと、雄ネジ５３の先端部５３１が緩衝部材５２をその外周側から押圧することになる。
【００３３】
また、本実施形態においては、緩衝部材５２は円環溝５１２に取り付けられた状態で本体５１内周面より中心方向に突出している。すなわち、緩衝部材５２は円環溝５１２に取り付けられた状態では、本体５１内周面と面一ではなく内周面より突出した状態となっている。このように構成することにより、内パイプ４と本体５１内周面とが擦り合うことを防止することができ、内パイプ４をスライドさせた際のスライド傷を防止することができる。
【００３４】
なお、本実施形態においては、内パイプ４表面に生ずるスライド傷を防止するために上述のように緩衝部材５２を本体５１内周面よりも突出するように構成したが、そのように構成しなくても、内パイプ４表面のスライド傷を防止することは可能である。
【００３５】
後述するように、雄ネジ５３を締め付けて行くと、緩衝部材５２の径が小さくなるように作用し、その結果、緩衝部材５２の内側面が本体５１の内周面に対し突出した状態となるからである。したがって、内パイプ４をスライドさせる前に、内パイプ４に緩衝部材４２の内側面を当接させず、かつスライド可能な状態となる程度に予め雄ネジ５３を締め付けておき、この状態で内パイプ４をスライドさせれば、緩衝部材５２は十分、本体５１の内周面と内パイプ４との擦れ合い防止することができる。
【００３６】
このように構成されたハンガーラック１における長さ調節の構造について、図４を参照しながら説明する。
【００３７】
図４（ａ）及び（ｂ）に示す状態が内パイプ４をスライドさせる前の状態（以下「初期状態」という）であり、長さ調節具５及び外筒パイプ３内の内パイプ４はスライド可能な状態となっている。
【００３８】
一方、図４（ｃ）及び（ｄ）に示す状態は、内パイプ４が長さ調節具５および外筒パイプ３内で位置決めされネジ止め支持された状態（以下「支持状態」という）である。以下にそれぞれの状態について詳細に説明する。
【００３９】
本実施形態における初期状態は、雄ネジ５３の先端部５３１が緩衝部材５２の外周面に当接しておらず押圧していない状態である。この状態においては、緩衝部材５２の間隙部５２１の幅は円環溝５１２に取り付けた状態と同様の状態にあり、内パイプ４は長さ調節具５及び外筒パイプ３内でスライド可能な状態となっている。
【００４０】
なお、この初期状態は、内パイプ４が長さ調節具５及び外筒パイプ３内でスライド可能状態となっていればよいので、雄ネジ５３の先端部５３１が緩衝部材５２の外周面に当接するとともに外周面を押圧し、間隙部５２１の幅が狭くなった状態であって、内パイプ４が長さ調節具５および外筒パイプ３内でスライド可能な状態であってもよい。
【００４１】
このような状態で内パイプ４をスライドさせれば、雄ネジ５３を完全に緩ませる必要はないばかりか、緩衝部材５２を予め長さ調節具５の本体５１の内周面より突出させておかなくても、内パイプ４をスライドさせた際に、生じ得る本体５１との擦れ合いを防止することができる。
【００４２】
上記初期状態から、ユーザが長さ調節具５および外筒パイプ３内で内パイプ４をスライドさせ所望の高さまで内パイプ４を移動させた後、雄ネジ５３を締め付けて行くと、内パイプ４は長さ調節具５によりネジ止め支持される。詳細に説明すると、雄ネジ５３を締め付けて行くと、緩衝部材５２の外周面側から雄ネジ５３が当接し、緩衝部材５２を外周面側から押圧する。すると、この押圧力を受けた緩衝部材５２は、図４（ａ）の矢印方向に力が働き、その結果、ネジ孔５１１と対向する側に押しつけられるような力を受け、その間隙部５２１を減少させるとともに、その径を小さくするように作用する。
【００４３】
すると、緩衝部材５２内に配置された内パイプ４は、緩衝部材５２により外周面を円環状に支持されることとなる。すなわち、従来においては、内パイプ４は雄ネジ５３の先端部５３１により直接一点支持されていたが、本実施形態におけるハンガーラック１においては、緩衝部材５２を長さ調節具５内の円環溝５１２に上述のように取り付けることにより、この緩衝部材５２により内パイプ４は円環状に支持されることとなる。
【００４４】
よって、本実施形態におけるハンガーラック１においては、支柱２，２の長さ調整をする際に、雄ネジ５３の先端部５３１により傷が付くことはなく、さらに、従来のように一点支持ではないので、その支持力も強いものとなる。
【００４５】
本実施形態においては、支柱２，２のみを上述したような緩衝部材５２を取り付けた伸縮パイプとしたが、ハンガー掛けパイプ６及び横幅パイプ７も上述のような構造の伸縮パイプとすれば横幅調節においても、上記と同様の傷防止効果を得ることができる。
【００４６】
また、本実施形態においては、本発明の伸縮パイプの長さ調節具あるいはこれを用いた伸縮パイプをハンガーラックに適用した場合についてのみ説明したが、この伸縮パイプの長さ調節具あるいはこれを用いた伸縮パイプは、ハンガーラックのみに適用されるものではなく、長さ調節されるいわゆる２重パイプ構造を有する種々の物品にも適用可能である。
【００４７】
さらに、本実施形態においては、各パイプの材質を金属製のものとして説明したが、内パイプ４をネジ止めにより一点支持する際に生ずる傷の問題は、パイプを金属製にしたから生ずるとは限らないので、他の材質により各パイプを構成した場合にも本発明の構造は適用可能である。
【符号の説明】
【００４８】
１      ハンガーラック
２      支柱
３      外筒パイプ
４      内パイプ
５      長さ調節具
５１    本体
５１１  ネジ孔
５１２  円環溝
５１３  嵌合部
５２    緩衝部材
５２１  間隙部
５３    雄ネジ
５３１  先端部
６      ハンガー掛けパイプ
７      横幅パイプ
８      キャスターパイプ
９      キャスター
【図１】
2013048651.tif 000003
【図２】
2013048651.tif 000004
【図３】
2013048651.tif 000005
【図４】
2013048651.tif 000006
【手続補正書】
【提出日】平成23年12月7日(2011.12.7)
【手続補正１】
【補正対象書類名】明細書
【補正対象項目名】００１４
【補正方法】変更
【補正の内容】
【００１４】
本発明は前記問題点を解決するためになされたもので、１つの目的は、円筒状に形成された外筒パイプと、円筒状に形成され外筒パイプ内にスライド可能に挿入された内パイプと、からなる伸縮パイプにおいて、外筒パイプの一端側に取り付けられるとともに内パイプをネジ止めすることにより伸縮パイプの長さ調節が可能な伸縮パイプの長さ調節具であって、ネジ孔と、該ネジ孔を含むように内周面に円環状に形成された円環溝と、を有する円筒状の本体と、ネジ孔に螺合される雄ネジと、ゴム材あるいは合成樹脂からなり円環溝に円環状に取り付けられる緩衝部材と、を有し、緩衝部材は、円環溝の底部を付勢した状態で円環溝に取り付けられるとともに、円環溝に取り付けられた状態では一部に間隙部を有する略Ｃ状部材であり、緩衝部材は、雄ネジを締め付けて行くことにより、その外周側から雄ネジに押圧され間隙部を減少させるとともにその径を小さくするように作用し、これにより、内パイプが緩衝部材を介して外周面を円環状に支持された状態でネジ止めされ伸縮パイプの長さ調節がされることを特徴とする。
【手続補正２】
【補正対象書類名】特許請求の範囲
【補正対象項目名】全文
【補正方法】変更
【補正の内容】
【特許請求の範囲】
【請求項１】
円筒状に形成された外筒パイプと、円筒状に形成され外筒パイプ内にスライド可能に挿入された内パイプと、からなる伸縮パイプにおいて、外筒パイプの一端側に取り付けられるとともに内パイプをネジ止めすることにより伸縮パイプの長さ調節が可能な伸縮パイプの長さ調節具であって、
ネジ孔と、該ネジ孔を含むように内周面に円環状に形成された円環溝と、を有する円筒状の本体と、
ネジ孔に螺合される雄ネジと、
ゴム材あるいは合成樹脂からなり円環溝に円環状に取り付けられる緩衝部材と、を有し、
緩衝部材は、
円環溝の底部を付勢した状態で円環溝に取り付けられるとともに、円環溝に取り付けられた状態では一部に間隙部を有する略Ｃ状部材であり、
緩衝部材は、雄ネジを締め付けて行くことにより、その外周側から雄ネジに押圧され間隙部を減少させるとともにその径を小さくするように作用し、これにより、内パイプが緩衝部材を介して外周面を円環状に支持された状態でネジ止めされ伸縮パイプの長さ調節がされること
を特徴とする伸縮パイプの長さ調節具。
【請求項２】
緩衝部材は円環溝に取り付けられた状態で本体内周面より中心方向に突出していることを特徴とする請求項１に記載の伸縮パイプの長さ調節具。
【請求項３】
請求項１あるいは２に記載の伸縮パイプの長さ調節具を有することを特徴とする伸縮パイプ。
【請求項４】
外筒パイプ及び内パイプはともに金属製であることを特徴とする請求項３に記載の伸縮パイプ。
【請求項５】
請求項３あるいは４に記載の伸縮パイプからなる対向配置された２つの支柱と、
２つの支柱の一端側に横架され、衣服などが吊り下げられたハンガーを吊り下げるためのハンガー掛けパイプと、
２つの支柱の他端側に横架された横幅パイプと、
を有することを特徴とするハンガーラック。
【請求項６】
ハンガー掛けパイプと横幅パイプが請求項３あるいは４に記載の伸縮パイプからなることを特徴とする請求項５に記載のハンガーラック。